(57)【要約】【課題】クーリング動作を開始してから完了するまでの残り時間を使用者が認識することが可能なプロジェクタ装置を提供することを目的とする。【解決手段】プロジェクタ装置は、光源部３と、光源部３の温度を検出する温度検出部１１と、光源部３を冷却する冷却ファン６と、温度検出部１１が検出した温度に基づいて、冷却ファン６によるクーリング動作を行うクーリング時間を算出する算出部５ａと、クーリング動作を開始してから完了するまでの残り時間であるクーリング時間の残り時間を計時するタイマ７と、クーリング時間の残り時間を表示する表示部１０と、光源部３と冷却ファン６と表示部１０を制御する制御部であるＣＰＵ５とを備えている。【選択図】図１
2015132765.tif 000002
【特許請求の範囲】
【請求項１】
光源部と、
前記光源部の温度を検出する温度検出部と、
前記光源部を冷却する冷却ファンと、
前記温度検出部が検出した温度に基づいて、前記冷却ファンによる冷却動作を行うクーリング時間を算出する算出部と、
前記冷却動作を開始してから完了するまでの残り時間であるクーリング時間の残り時間を計時するタイマと、
前記クーリング時間の残り時間を表示する表示部と、
前記光源部、前記冷却ファンおよび前記表示部を制御する制御部と、
を備える、プロジェクタ装置。
【請求項２】
前記制御部は、前記冷却動作の完了後に前記光源部を点灯可能であり、かつ、前記冷却動作が完了していない場合にも外部指示に応じて前記冷却動作を停止させて前記光源部を点灯可能に制御する、請求項１記載のプロジェクタ装置。
【請求項３】
前記制御部は、前記クーリング時間の残り時間とともに当該残り時間に関する説明を前記表示部に表示させるように制御する、請求項１または請求項２記載のプロジェクタ装置。
【請求項４】
前記算出部が算出した前記クーリング時間を変更して設定する設定部をさらに備え、
前記制御部は、前記設定部で変更されたクーリング時間を用いて前記クーリング時間の残り時間を前記表示部に表示させるように制御する、請求項１から３のいずれか１つに記載のプロジェクタ装置。
【請求項５】
前記クーリング時間の残り時間はインジケータで表示される、請求項１から４のいずれか１つに記載のプロジェクタ装置。
【発明の詳細な説明】
【技術分野】
【０００１】
本発明は、映像をスクリーンに投写するプロジェクタ装置に関し、特に光源部の消灯後に光源部を自動的に冷却するオートクーリング処理に関するものである。
【背景技術】
【０００２】
一般に、映像をスクリーンに投写するプロジェクタ装置において、高温となっている光源部を冷却するために、光源部の消灯後に冷却ファンを所定時間動作させることが知られている。すなわち、プロジェクタ装置の電源スイッチをオフ操作して光源部を消灯した後、装置全体の電源を遮断することなく、自動で冷却ファンを作動させ続けて、光源部を冷却している。このような自動で冷却動作（クーリング動作）を行う処理をオートクーリング処理という。
【０００３】
しかし、使用者によっては、プロジェクタ装置の電源スイッチをオフ操作して光源部を消灯させると同時に、クーリング動作の完了を待たずに電源コードをコンセントから引き抜いてしまうことが多い。この場合、クーリング動作は正常に行われないため、余熱によって光源部の寿命が短くなる恐れがある。
【０００４】
このような問題に対して、例えば特許文献１には、電源異常遮断されたことをメモリに記憶させ、次回電源投入時に電源異常遮断があったことを報知するために警告音を出力する方法が提案されている。
【０００５】
また、例えば特許文献２には、電源スイッチをオフ操作する際にオートクーリング処理の完了まで電源コードを抜かないようにＯＳＤ画面上で注意喚起する方法が提案されている。
【０００６】
また、例えば特許文献３には、電源オフの操作間隔でクーリング時間を可変することができる方法が提案されている。
【０００７】
さらに、例えば特許文献４には、電源オフ時のクールダウン処理の有無を変更できる方法が提案されている。
【先行技術文献】
【特許文献】
【０００８】
【特許文献１】特開２００４−２７９９０８号公報
【特許文献２】特開２００６−１０６６３９号公報
【特許文献３】特開２００８−２１６６７３号公報
【特許文献４】特開２０１２−１３９７６号公報
【発明の概要】
【発明が解決しようとする課題】
【０００９】
特許文献１には、光学系の温度が予め設定された温度以下に低下するまでファンの作動を維持させることが記載されている。しかし、使用者にとってはクーリング動作があと何秒で完了するかが外部から見たときに分からないという問題点があった。
【００１０】
特許文献２には、投射ランプの消灯後のオートクーリング処理期間中に警告灯を点灯することで、オートクーリング処理中であることを使用者が認識することができることが記載されている。しかし、使用者はオートクーリング処理中かどうかの判断はできるが、オートクーリング処理、すなわちクーリング動作があと何秒残っているかが分からないという問題点があった。
【００１１】
また、特許文献２には、異常終了回数が規定値を超えたときに行う急速クーリング時間はメインスイッチがオフ操作されてから電源コードがコンセントから抜かれた時点までの平均時間になることが記載されている。この場合、急速クーリング時間は毎回決まった時間ではないため、使用者にとってはクーリング動作が完了するまでの残り時間が分からないという問題点があった。
【００１２】
特許文献３には、電源スイッチの押下の間隔が所定の時間よりも短いかどうかを判定し、クールダウン時間を８秒または５秒に設定することが記載されている。しかし、使用者は最終的にどちらの時間で設定されたのかが外部からは分からないという問題点があった。
【００１３】
また、特許文献３には、ランプ寿命が所定の基準時間以下になっている場合、クールダウン時間を短くしすぎないように設定し、ＬＥＤランプを通常とは異なった形式で点滅表示させることで、光源ランプの寿命制約があることを知らせることが記載されている。しかし、使用者は寿命制約があることは分かるが、最終的にクーリング時間が何秒になったのかが分からないという問題点があった。
【００１４】
特許文献４には、始動温度条件を満たしていない場合は、始動温度条件を満たす必要量だけクールダウン処理を行うことが記載されている。しかし、使用者はクールダウン処理の必要量が表示されないため、ランプ点灯までにどのくらいの時間が必要なのかが分からないという問題点があった。
【００１５】
そこで、本発明は、クーリング動作を開始してから完了するまでの残り時間を使用者が認識することが可能なプロジェクタ装置を提供することを目的とする。
【課題を解決するための手段】
【００１６】
本発明に係るプロジェクタ装置は、光源部と、前記光源部の温度を検出する温度検出部と、前記光源部を冷却する冷却ファンと、前記温度検出部が検出した温度に基づいて、前記冷却ファンによる冷却動作を行うクーリング時間を算出する算出部と、前記冷却動作を開始してから完了するまでの残り時間であるクーリング時間の残り時間を計時するタイマと、前記クーリング時間の残り時間を表示する表示部と、前記光源部、前記冷却ファンおよび前記表示部を制御する制御部とを備えるものである。
【発明の効果】
【００１７】
本発明によれば、プロジェクタ装置は、光源部と、光源部の温度を検出する温度検出部と、光源部を冷却する冷却ファンと、温度検出部が検出した温度に基づいて、冷却ファンによる冷却動作を行うクーリング時間を算出する算出部と、冷却動作を開始してから完了するまでの残り時間であるクーリング時間の残り時間を計時するタイマと、クーリング時間の残り時間を表示する表示部と、光源部、冷却ファンおよび表示部を制御する制御部とを備える。
【００１８】
したがって、制御部は、表示部にクーリング時間の残り時間を表示させるように制御するため、使用者は、クーリング動作を開始してから完了するまでの残り時間を認識することができる。
【図面の簡単な説明】
【００１９】
【図１】実施の形態に係るプロジェクタ装置の主な構成を示すブロック図である。
【図２】ＬＥＤインジケータ表示の一例を示す図である。
【図３】ＯＳＤ表示の一例を示す図である。
【図４】オートクーリング処理のフローチャートである。
【発明を実施するための形態】
【００２０】
＜実施の形態＞
本発明の実施の形態について、図面を用いて以下に説明する。図１は、実施の形態に係るプロジェクタ装置の主な構成を示すブロック図である。なお、投写表示を行うための構成および動作については従来のプロジェクタ装置と同様であるため、その詳細な説明は省略する。
【００２１】
図１に示すように、実施の形態に係るプロジェクタ装置は、電源コード１と、電源回路２と、光源部３と、操作キー４と、ＣＰＵ５（制御部）と、冷却ファン６と、タイマ７と、表示部１０と、温度検出部１１とを備えている。図１には図示しないが、プロジェクタ装置は、さらにＲＡＭとＲＯＭを備えている。
【００２２】
電源コード１は、外部の商用電源のコンセントと電気的に接続され、電源回路２に電源を供給する。電源回路２は、外部の商用電源からの電源供給を受けて内部電源を生成する。光源部３は、例えば光源ランプである。操作キー４は、使用者がプロジェクタ装置を操作するための入力手段であり、電源ボタンを含むものである。冷却ファン６は、プロジェクタ装置の使用後に光源部３を冷却する。温度検出部１１は、光源部３の温度を検出し、検出した温度情報をＣＰＵ５に出力する。
【００２３】
ＣＰＵ５は、ＲＯＭに格納されたプログラムに従って各種処理を行う。ここで、各種処理とは、光源部３、冷却ファン６、タイマ７および表示部１０を制御する処理であり、ＣＰＵ５は、各種処理を行う際に、ＲＡＭをワーク領域として使用する。また、ＣＰＵ５は、後述の算出部５ａを含むものである。
【００２４】
ＣＰＵ５の各種処理について説明する。ＣＰＵ５（より具体的には、算出部５ａ）は、温度検出部１１が検出した温度に基づいて、冷却ファン６によるクーリング動作（冷却動作）を行うクーリング時間を算出する。ＣＰＵ５は、タイマ７に対してクーリング時間の残り時間を計時させるように制御するとともに、クーリング時間の間、冷却ファン６を駆動するように制御する。ここで、クーリング時間の残り時間とは、プロジェクタ装置がクーリング動作を開始してから完了するまでの残り時間である。
【００２５】
表示部１０は、ＬＥＤインジケータ８と、ディスプレイ９とを備えている。ＬＥＤインジケータ８は、複数のＬＥＤを並べて構成され、ＣＰＵ５の制御によって複数のＬＥＤを段階的に点灯または消灯させることで、クーリング時間の残り時間を表示する。ディスプレイ９は、ＣＰＵ５の制御によってクーリング時間の残り時間に関する説明を表示する。
【００２６】
次に、実施の形態に係るプロジェクタ装置の動作について説明する。図２は、ＬＥＤインジケータ表示の一例を示す図であり、図３は、ＯＳＤ表示の一例を示す図である。
【００２７】
図２に示すように、ＬＥＤインジケータ８は、ＬＥＤ８ａから８ｊまでの１０個のＬＥＤを縦方向に並べて構成されている。より具体的には、ＬＥＤインジケータ８は、赤色の光を発する赤色ＬＥＤ８ａから８ｅと、黄色の光を発する黄色ＬＥＤ８ｆから８ｊとで構成されている。ＬＥＤインジケータ８において、赤色ＬＥＤ８ａから８ｅは上側に配置され、黄色ＬＥＤ８ｆから８ｊは下側に配置されている。１０個のＬＥＤ８ａから８ｊを用いてクーリング時間の残り時間を表している。ここでは１個のＬＥＤが１０秒分を表すものとする。すなわち、１０個のＬＥＤ８ａから８ｊ全体で１００秒まで表すことができる。
【００２８】
図３に示すように、光源部３の点灯中に使用者が操作キー４の電源ボタンを１度押したときに、光源部３の消灯の意思を確認するためのＯＳＤ表示（画像）がディスプレイ９に表示される。光源部３を消灯させるためには、ＯＳＤ表示がディスプレイ９に表示された後、所定時間内に使用者が再度電源ボタンを押すことで光源部３の消灯が実行される。このため、使用者が誤って電源ボタンを１度押したとしても、その操作を訂正することができる。
【００２９】
図３に示すＯＳＤ表示によって、クーリング動作が完了するまで電源コード１をコンセントから抜かないように使用者に注意喚起を行うことができる。さらに、ディスプレイ９にＬＥＤインジケータ８の見方も表示することで、ＬＥＤインジケータ８がクーリング時間および光源部３の再点灯の可否を表していることを使用者に認識させることができる。ここで、図３に示すＯＳＤ表示の内容がクーリング時間の残り時間に関する説明である。
【００３０】
実施の形態に係るプロジェクタ装置では、光源部３が点灯しているパワーオン状態と、光源部３が点灯可能温度になるまで冷却するパワーオン可能状態と、光源部３が常温になるまで冷却するスタンバイ状態の３種類の状態がある。
【００３１】
使用者が一度電源ボタンを押した後、所定時間内に再度電源ボタンを押すと、その情報を受けたＣＰＵ５は光源部３を消灯するとともに、温度検出部１１から得た光源部３の温度情報に基づいて、クーリング動作に必要な時間、すなわち、クーリング時間を算出する。そして、ＣＰＵ５は、算出したクーリング時間をＬＥＤインジケータ８に表示させる。ここで、ＣＰＵ５（より具体的には、算出部５ａ）は、パワーオン可能状態にするまでのクーリング時間Ｔ１と、パワーオン可能状態からスタンバイ状態までのクーリング時間Ｔ２とを含むクーリング時間を算出する。
【００３２】
図２は、パワーオン可能状態にするまでのクーリング時間Ｔ１を４０秒、パワーオン可能状態からスタンバイ状態までのクーリング時間Ｔ２を５０秒と算出した場合のＬＥＤインジケータ８の表示例である。ＣＰＵ５はＴ２＝５０秒に対して、ＬＥＤ８ｊから順にＬＥＤ８ｆまで５個分のＬＥＤを黄点滅で表示させる。ＣＰＵ５はさらにＴ１＝４０秒に対して、ＬＥＤ８ｅから順にＬＥＤ８ｂまで４個分のＬＥＤを赤点滅で表示させる。使用者はこのＬＥＤインジケータ表示を見ることで、光源部３の消灯直後における、パワーオン可能状態までの時間とスタンバイ状態までの時間を認識することができる。
【００３３】
その後、赤点滅または黄点滅しているＬＥＤは、１０秒経過ごとに上から順に消灯されていく。図２の例では、４０秒経過後に赤点滅していたＬＥＤ８ｂから８ｅ全てが消灯され、黄点滅しているＬＥＤ８ｆから８ｊだけが点灯している。使用者はこのＬＥＤインジケータ表示によって、プロジェクタ装置がパワーオン可能状態に入っていることと、スタンバイ状態まで残り５０秒であることを認識することができる。
【００３４】
さらに、５０秒経過後に黄点滅していたＬＥＤ８ｆから８ｊ全てが消灯され、全ＬＥＤ８ａから８ｊが消灯状態となる。使用者はこのＬＥＤインジケータ表示を見ることで、プロジェクタ装置がスタンバイ状態に入ったことを認識することができる。このように、ＬＥＤインジケータ８の状態を確認することで、使用者はクーリング動作の残り時間および光源部３の再点灯の可否を判断できるようになる。
【００３５】
次に、図４を用いて、実施の形態に係るプロジェクタ装置の動作の具体的な内容であるオートクーリング処理について説明する。図４は、オートクーリング処理のフローチャートである。なお、オートクーリング処理のプログラムは、例えばＲＯＭに記憶されている。ここで、オートクーリング処理とは、光源部３の消灯後に光源部３を自動的に冷却する処理のことである。
【００３６】
使用者が電源ボタンを１度押した場合に、プロジェクタ装置（より具体的には、ＣＰＵ５）はオートクーリング処理を開始する。図３に示すように、ＣＰＵ５は、光源部３の消灯の意思を確認するための画像をディスプレイ９に表示させる（ステップＳ１）。ＣＰＵ５は、例えば、所定時間内に使用者によって再度電源ボタンが押されたかどうかを判定する（ステップＳ２）。
【００３７】
ＣＰＵ５は、再度電源ボタンが押されたと判定した場合（ステップＳ２においてＹＥＳ）、光源部３を消灯し（ステップＳ３）、温度検出部１１に光源部３の温度を検出させた後（ステップＳ４）、ステップＳ５へ移行する。
【００３８】
ＣＰＵ５は、再度電源ボタンが押されなかったと判定した場合（ステップＳ２においてＮＯ）、オートクーリング処理を終了する。
【００３９】
ステップＳ５では、ＣＰＵ５の算出部５ａは、温度検出部１１が検出した温度に基づいてクーリング時間を算出し、算出したクーリング時間をＲＡＭに記憶（設定）させる。そして、ＣＰＵ５は、冷却ファン６を駆動させてクーリング動作を開始するとともに（ステップＳ６）、タイマ７にクーリング時間の残り時間を計時させる。
【００４０】
図２に示すように、ＣＰＵ５は、ＬＥＤインジケータ８にクーリング時間の残り時間を表示させる（ステップＳ７）。クーリング時間の残り時間は、タイマ７の計時に応じて時々刻々と表示される。
【００４１】
使用者は、ＬＥＤインジケータ８に表示されたクーリング時間の残り時間を見ながら、例えば操作キー４を用いて、クーリング時間を変更することができる。なお、操作キー４が設定部に相当する。
【００４２】
ＣＰＵ５は、使用者によってクーリング時間が変更されたかどうかを判定する（ステップＳ８）。ＣＰＵ５は、クーリング時間が変更されたと判定した場合（ステップＳ８においてＹＥＳ）、変更後のクーリング時間をＲＡＭに記憶（設定）させる（ステップＳ９）。ＣＰＵ５は、変更後のクーリング時間の残り時間をＬＥＤインジケータ８に表示させた後（ステップＳ１０）、ステップＳ１１へ移行する。変更後のクーリング時間の残り時間は、タイマ７の計時に応じて時々刻々と表示される。
【００４３】
ＣＰＵ５は、クーリング時間が変更されなかったと判定した場合（ステップＳ８においてＮＯ）、使用者によるクーリング動作の停止指令（外部指示）があるかどうかを判定する（ステップＳ１１）。
【００４４】
ここで、使用者は、クーリング動作が完了していない場合にも、例えば電源コード１をコンセントから抜いたり、操作キー４を操作したりすることでクーリング動作を停止させることができる。ＣＰＵ５は、クーリング動作の停止指令がないと判定した場合（ステップＳ１１においてＮＯ）、タイマ７からクーリング時間の残り時間を得て、クーリング時間を経過したかどうかを判定する（ステップＳ１２）。なお、クーリング動作の停止指令とは、クーリング動作時に電源コード１をコンセントから抜いたり、操作キー４を操作したりすることで、ＣＰＵ５に入力される指令をいうこととする。
【００４５】
ＣＰＵ５は、クーリング時間を経過したと判定した場合（ステップＳ１２においてＹＥＳ）、冷却ファン６の駆動を停止させた後（ステップＳ１３）、オートクーリング処理を終了する。
【００４６】
ＣＰＵ５は、クーリング時間を経過していないと判定した場合（ステップＳ１２においてＮＯ）、使用者によるクーリング動作の停止指令があるかどうかを判定する（ステップＳ１１）。ＣＰＵ５は、使用者によるクーリング動作の停止指令があると判定した場合（ステップＳ１１においてＹＥＳ）、冷却ファン６の駆動を停止させた後（ステップＳ１３）、処理を終了する。これにより、クーリング動作が完了していない場合にも、ＣＰＵ５がクーリング動作を強制的に停止させることで光源部３の点灯が可能となる。
【００４７】
以上のように、実施の形態に係るプロジェクタ装置は、光源部３と、光源部３の温度を検出する温度検出部１１と、光源部３を冷却する冷却ファン６と、温度検出部１１が検出した温度に基づいて、冷却ファン６によるクーリング動作を行うクーリング時間を算出する算出部５ａと、クーリング動作を開始してから完了するまでの残り時間であるクーリング時間の残り時間を計時するタイマ７と、クーリング時間の残り時間を表示するＬＥＤインジケータ８と、光源部３と冷却ファン６と表示部１０を制御するＣＰＵ５とを備える。
【００４８】
したがって、ＣＰＵ５は、表示部１０のＬＥＤインジケータ８にクーリング時間の残り時間を表示させるように制御するため、使用者は、クーリング動作を開始してから完了するまでの残り時間を認識することができる。
【００４９】
使用者にクーリング動作を開始してから完了するまでの時間を認識させることができることから、使用者は、そのままクーリング動作の完了を待つか、クーリング動作の完了を待たずに電源コード１をコンセントから抜くなどしてクーリング動作を強制的に終了させるかを選択することができる。
【００５０】
ＣＰＵ５は、クーリング動作の完了後に光源部３を点灯可能であり、かつ、クーリング動作が完了していない場合にも外部指示に応じてクーリング動作を停止させて光源部３を点灯可能に制御する。したがって、光源部３のパワーオン可能状態までの時間とスタンバイ状態までの時間とで、ＬＥＤインジケータ８の色を変化させるなど行わせることで、使用者による電源スイッチのオン操作の可否が判断できるようにすることが可能となる。
【００５１】
ＣＰＵ５は、クーリング時間の残り時間を表示部１０のＬＥＤインジケータ８に表示させるとともに当該残り時間に関する説明を表示部１０のディスプレイ９に表示させるように制御するため、クーリング動作が完了するまで電源コード１をコンセントから抜いたりしないように使用者に注意喚起を行うことができる。さらに、ＬＥＤインジケータ８の見方も表示することで、ＬＥＤインジケータ８がクーリング時間の残り時間および光源部３の再点灯の可否を表していることを使用者に認識させることができる。
【００５２】
算出部５ａが算出したクーリング時間を変更して設定する設定部である操作キー４をさらに備え、ＣＰＵ５は、操作キー４で変更されたクーリング時間を用いてクーリング時間の残り時間をＬＥＤインジケータ８に表示させるように制御する。したがって、実際に使用される変更後のクーリング時間の残り時間を使用者に認識させることができる。
【００５３】
また、クーリング時間の残り時間はインジケータで表示されるため、使用者はクーリング時間の残り時間を直感的に認識することができるとともに、電源スイッチのオン操作の可否を直感的に判断することができる。
【００５４】
なお、ＬＥＤインジケータ８の代わりに、複数の７セグメントＬＥＤを用いてクーリング時間の残り時間を具体的に表示する方式などを採用することも可能である。
【００５５】
また、図４のフローチャートのステップＳ２において電源ボタンの操作間隔（すなわち、再度電源ボタンが押されるまでの時間）が所定時間よりも短い場合に、クーリング時間を短くするように設定してもよい。この場合にも、実際に使用される変更後のクーリング時間の残り時間を使用者に認識させることができる。
【００５６】
また、電源オフ時にクーリング動作を行わずに、次回の電源オン時にクーリング動作を行うようにしてもよい。この場合にも、ＬＥＤインジケータ８でクーリング時間の残り時間を表示することで、クーリング動作が完了し、光源部３の点灯が開始されるまでの時間を使用者は認識することができる。
【００５７】
なお、本発明は、その発明の範囲内において、実施の形態を適宜、変形、省略することが可能である。
【符号の説明】
【００５８】
３  光源部、４  操作キー、５  ＣＰＵ、５ａ  算出部、６  冷却ファン、７  タイマ、８  ＬＥＤインジケータ、１０  表示部、１１  温度検出部。
【図１】
2015132765.tif 000003
【図２】
2015132765.tif 000004
【図３】
2015132765.tif 000005
【図４】
2015132765.tif 000006